(57)【要約】【課題】下面に粘着マットを備えた転倒防止用固定具を、物品棚の支柱を加工することなく、該支柱に予め形成された透孔を利用して、該支柱に極めて容易に取り付けることができるようにした物品棚の転倒防止用固定具を提供する。【解決手段】支持板１の下面に粘着マット３を備えさせた転倒防止用固定具において、該支持板上には物品棚の支柱５に密接する支承板７を立設し、該支承板には該支柱に予め形成されている透孔９よりも大きな挿通孔１１を形成し、該挿通孔には該挿通孔に跨るワッシャ１３を介してボルト１５を挿通させると共に該ボルトを該透孔に挿通させ、該ボルトにナット１７を螺合させて締め付けることにより該支柱を該支承板に固定することを特徴とする物品棚の転倒防止用固定具。【選択図】図１
2008154910.tif 000002
【特許請求の範囲】
【請求項１】
支持板の下面に粘着マットを備えさせた転倒防止用固定具において、
該支持板上には物品棚の支柱に密接する支承板を立設し、該支承板には該支柱に予め形成されている透孔よりも大きな挿通孔を形成し、該挿通孔には該挿通孔に跨るワッシャを介してボルトを挿通させると共に該ボルトを該透孔に挿通させ、該ボルトにナットを螺合させて締め付けることにより該支柱を該支承板に固定することを特徴とする物品棚の転倒防止用固定具。
【請求項２】
前記ワッシャは長孔を備えていることを特徴とする請求項１に記載の物品棚の転倒防止用固定具。
【発明の詳細な説明】
【技術分野】
【０００１】
本発明は、物品棚の転倒防止用固定具に関するものであり、物品棚が例えば地震発生時等の衝撃、振動等により転倒することを防止するために、該物品棚を床面等の水平支持面上に固定するようにした物品棚の転倒防止用固定具に係るものである。
【背景技術】
【０００２】
家具、機器等を支持する支持板の下面に粘着マットを備えさせた転倒防止用固定具は、本出願人の出願に係る特開２００６−５５３７７号公報により既に開示されている。
【特許文献１】特開２００６−５５３７７号公報
【発明の開示】
【発明が解決しようとする課題】
【０００３】
物品棚は、例えば底面四隅より下方に支柱を突設しており、該支柱は、棚板、ビーム等を取り付けるための多数の透孔を備えている。
【０００４】
上記従来の転倒防止用固定具は、多くの家具、機器等に好ましく使用され得るものであるが、物品棚の支柱には取り付け難いものである。
【０００５】
その他、下面に粘着マットを備えた転倒防止用固定具であって、物品棚の支柱に好ましく取り付け得るものは存在しない。
【０００６】
下面に粘着マットを備えた転倒防止用固定具を物品棚の支柱に取り付ける際には、該支柱に形成された透孔を利用することが一応考えられる。しかるに、物品棚の支柱に形成された透孔の位置は、物品棚のメーカーにより、種々に異なるため、物品棚の支柱に形成された透孔を利用して該転倒防止用固定具を該支柱に取り付けることはできない。
【０００７】
従って、下面に粘着マットを備えた転倒防止用固定具を物品棚の支柱に取り付ける際には、該転倒防止用固定具に形成された取付孔に合わせて支柱に透孔を穿設し、又は、該支柱に鉄板ビス等を打ち付ける作業が要求される。
【０００８】
物品棚の支柱に透孔を穿設し、又は、該支柱に鉄板ビス等を打ち付ける作業は、極めて面倒であって、転倒防止用固定具の取付費用を増大させるおそれがあると共に、物品棚の支柱を傷めることになる。
【０００９】
また、空気中における浮遊微粒子が一定の清浄度レベル以下に管理されるクリーンルーム内において、物品棚の支柱に透孔を穿設し、又は、該支柱に鉄板ビス等を打ち付ける作業は避けなければならない。
【００１０】
以上の如き状況に鑑み、本発明は、下面に粘着マットを備えた転倒防止用固定具を、物品棚の支柱を加工することなく、該支柱に予め形成された透孔を利用して、該支柱に極めて容易に取り付けることができるようにした物品棚の転倒防止用固定具を提供しようとしてなされたものである。
【課題を解決するための手段】
【００１１】
上記課題を解決するために、本発明は、下記の物品棚の転倒防止用固定具を提供する。
【００１２】
（１）支持板の下面に粘着マットを備えさせた転倒防止用固定具において、
該支持板上には物品棚の支柱に密接する支承板を立設し、該支承板には該支柱に予め形成されている透孔よりも大きな挿通孔を形成し、該挿通孔には該挿通孔に跨るワッシャを介してボルトを挿通させると共に該ボルトを該透孔に挿通させ、該ボルトにナットを螺合させて締め付けることにより該支柱を該支承板に固定することを特徴とする物品棚の転倒防止用固定具（請求項１）。
【００１３】
（２）前記ワッシャは長孔を備えている（請求項２）。
【発明の効果】
【００１４】
［請求項１の発明］
請求項１の発明によれば、支承板には物品棚の支柱に予め形成されている透孔よりも大きな挿通孔を形成しているため、物品棚の支柱に形成された透孔の位置が物品棚のメーカーにより種々に異なっているときでも、ボルトの位置を該挿通孔内で支柱の透孔に合わせることにより、該挿通孔と該透孔とにボルトを挿通させることができる。従って、物品棚の転倒防止用固定具を物品棚の支柱に取り付ける際に、物品棚の支柱に透孔を穿設し、又は、該支柱に鉄板ビス等を打ち付ける必要がなく、該転倒防止用固定具を物品棚の支柱に取り付ける作業は極めて容易である。
【００１５】
その結果、物品棚の転倒防止用固定具を物品棚の支柱に取り付ける作業に要する費用も軽減されると共に、物品棚の支柱が損傷することもない。
【００１６】
更に、物品棚の転倒防止用固定具を物品棚の支柱に取り付ける際に、物品棚の支柱に透孔を穿設し、又は、該支柱に鉄板ビス等を打ち付ける必要がないため、クリーンルーム内においても、物品棚の転倒防止用固定具を支障なく物品棚の支柱に取り付けることができる。
【００１７】
なお、支持板の下面に粘着マットを備えさせているため、物品棚を固定する床面等の水平支持面に傷が付かないことはいうまでもない。
【００１８】
［請求項２の発明］
ワッシャは長孔を備えているため、挿通孔内におけるボルトの位置を容易に調整することができる。
【発明を実施するための最良の形態】
【００１９】
符号１に示すものは支持板である。
【００２０】
支持板１は形状の如何を問わない。図１〜図３に示す事例、及び図５に示す事例における支持板１は、略長方形状の板状体であり、図４に示す事例における支持板１は略三角形状の板状体である。
【００２１】
支持板１の下面に粘着マット３を取り付ける。
【００２２】
粘着マット３は、一例として、粘着性を備えたゲル状の超軟質ウレタンにより形成された板状片とする。
【００２３】
支持板１上には物品棚の支柱５に密接する支承板７を立設する。
【００２４】
物品棚の支柱５は、棚板、ビーム等を取り付けるための多数の透孔９、９・・・を備えている。
【００２５】
支柱５は、例えば、略Ｌ字状又は略コ字状の断面形状を備えているが、支柱５の断面形状はこれらのものに限らない。
【００２６】
支承板７は、支柱５に対応する形状を備え、支柱５に密接する。
【００２７】
図１〜図４に示す事例における支承板７は略Ｌ字状又は略コ字状の断面形状を備えている。図５に示す事例における支承板７は平板状をなしている。
【００２８】
支承板７は、図１〜図３に示すように支持板１の略中央部に立設してもよいが、図４においては支持板１の角部に立設され、図５においては支持板１の側縁に立設されている。
【００２９】
支承板７には支柱５に予め形成されている透孔９よりも大きな挿通孔１１を形成し、該挿通孔１１には該挿通孔１１に跨るワッシャ１３を介してボルト１５を挿通させると共に該ボルト１５を該透孔９に挿通させ、該ボルト１５にナット１７を螺合させて締め付けることにより該支柱５を該支承板７に固定する。
【００３０】
前記ワッシャ１３は長孔１９を備えている。
【００３１】
前記ナット１７は、好ましくは、別のワッシャ２１を介してボルト１５に螺合させる。なお、符号２３に示すものは、床面等の水平支持面である。
【図面の簡単な説明】
【００３２】
【図１】本発明による物品棚の転倒防止用固定具の一例を示す斜視図である。
【図２】同上転倒防止用固定具の断面図である。
【図３】同上転倒防止用固定具の別の断面図である。
【図４】本発明による物品棚の転倒防止用固定具の別の一例を示す斜視図である。
【図５】本発明による物品棚の転倒防止用固定具の更に別の一例を示す斜視図である。
【符号の説明】
【００３３】
１  支持板
３  粘着マット
５  支柱
７  支承板
９  透孔
１１  挿通孔
１３  ワッシャ
１５  ボルト
１７  ナット
１９  長孔
２１  別のワッシャ
２３  水平支持面
【図１】
2008154910.tif 000003
【図２】
2008154910.tif 000004
【図３】
2008154910.tif 000005
【図４】
2008154910.tif 000006
【図５】
2008154910.tif 000007